(57)【要約】【課題】犯罪や事故、災害等の問題となるイベントが発生したときに、監視システムが問題となるイベントを自動的に解析して、利用者が携帯端末を介して、問題となるイベントをリアルタイムで監視可能な監視システムを提供すること。【解決手段】本発明の監視システムにおいて、監視システムサーバの制御部は、通信部で画像データとイベントデータとを受信し、受信した画像データをエンコード部でエンコードし、動画ファイルを生成して、動画ファイル記憶部に格納し、受信したイベントデータまたは画像データをイベント解析部で基準値と比較して、イベントデータまたは画像データを異常値と判断した場合に、携帯端末にトリガー信号を送信し、携帯端末は、トリガー信号に応じて、監視システムサーバの動画ファイル記憶部に格納された動画ファイルを受信する。【選択図】図１
2013101559.tif 000002
【特許請求の範囲】
【請求項１】
監視システムサーバと、監視端末と、利用者の携帯端末とがネットワークを介して接続する監視システムであって、
前記監視端末は、監視カメラと、イベントデータ収集部とを備え、
前記監視システムサーバは、制御部と、エンコード部と、イベント解析部と、通信部と、動画ファイル記憶部とを備え、
前記監視端末は、前記監視カメラで撮影した画像データと、前記イベントデータ収集部が収集するイベントデータイベントデータとを、前記ネットワークを介して前記監視システムサーバに送信し、
前記監視システムサーバの前記制御部は、前記通信部で前記画像データと前記イベントデータとを受信し、
受信した前記画像データを前記エンコード部でエンコードし、動画ファイルを生成して、前記動画ファイル記憶部に格納し、
受信した前記イベントデータまたは前記画像データを前記イベント解析部で基準値と比較して、前記イベントデータまたは前記画像データを異常値と判断した場合に、前記携帯端末にトリガー信号を送信し、
前記携帯端末は、前記トリガー信号に応じて、前記監視システムサーバの前記動画ファイル記憶部に格納された前記動画ファイルを受信することを特徴とする監視システム。
【請求項２】
前記イベント解析部は、前記イベントデータまたは前記画像データを異常と判断した場合に、前記トリガー信号と、異常値が検出されたイベントデータまたは画像データの異常値が検出された時間と、を関連付けることを特徴とする請求項１に記載の監視システム。
【請求項３】
前記監視システムサーバは、前記イベントデータまたは前記画像データと比較する前記基準値を格納する基準値データベースをさらに備え、
前記基準値は、前記利用者または監視システム提供者により予め決められた値であることを特徴とする請求項１または２に記載の監視システム。
【請求項４】
前記監視システムサーバは、利用者情報データベースをさらに備え、
前記利用者または前記携帯端末を特定する情報と、前記携帯端末に前記トリガー信号を送信するための基準値の種類と値の組合せと、を格納し、
前記異常値と判断された基準値の種類と値の組合せと、前記利用者情報データベースに格納された利用者毎の基準値の種類と値の組合せと、を比較して一致した場合に、前記携帯端末に前記トリガー信号を送信することを特徴とする請求項１乃至３の何れか一に記載の監視システム。
【請求項５】
前記イベントデータ収集部は、ストレインゲージ、ロードセル、半導体圧力センサ、光センサ、光電素子、フォトダイオード、磁気センサ、サーミスタ、抵抗測温体、熱電対、放射温度計、マイクロフォン、イオン濃度センサ、ガス濃度センサ、ポテンショメータ、差動トランス、回転角センサ、リニアエンコーダ、タコジェネレータ、ロータリエンコーダ、光位置センサ、超音波距離計、静電容量変位計、光学式測距儀、電磁波測距儀、レーザドップラー振動速度計、レーザドップラー流速計、ジャイロセンサー、加速度センサ、地震センサ、漏液センサ、液検知センサ、硬度計、電場計、電流計、電圧計、電力計、赤外線センサ、放射線線量計、湿度計、においセンサ、流量計、傾斜計、振動センサの何れか、または２つ以上の組み合わせを備え、
前記基準値の種類は、前記イベントデータ収集部により収集されたデータまたは前記画像データの何れか、または２つ以上の組み合わせであって、
前記基準値は、前記イベントデータ収集部により収集されたデータまたは前記画像データのそれぞれに対して設定された値であることを特徴とする請求項４に記載の監視システム。
【請求項６】
前記イベント解析部は、前記画像データのうち、連続して受信した第１の画像データの特徴点と、前記第１の画像データの次に受信した第２の画像データの特徴点と比較し、
前記第２の画像データの特徴点に変化がある場合は、第２の画像データを異常値と判断して、前記携帯端末にトリガー信号を送信することを特徴とする請求項５に記載の監視システム。
【請求項７】
前記動画ファイルと前記イベントデータとは、前記監視端末が設置された住所、緯度及び経度、またはＩＰアドレスの何れか、または２つ以上の位置情報の組み合わせと関連付けられ、
前記利用者情報データベースは、前記携帯端末に前記トリガー信号を送信するための位置情報をさらに格納し、
前記異常値と判断されたイベントデータまたは画像データの位置情報と、前記利用者情報データベースに格納された位置情報と、を比較して一致した場合に、前記携帯端末に前記トリガー信号を送信することを特徴とする請求項４に記載の監視システム。
【請求項８】
前記携帯端末は、携帯端末制御部と、音声出力部と、入力部と、表示部と、携帯端末通信部と、を備え、
前記携帯端末通信部が前記トリガー信号を受信すると、音声出力部は着信音を再生し、
前記利用者が、前記監視システムサーバの前記動画ファイル記憶部に格納された前記動画ファイルの要求を前記入力部から入力すると、
前記携帯端末制御部は、前記携帯端末通信部から前記監視システムサーバに前記動画ファイルを要求し、
受信した前記動画ファイルを前記表示部にリアルタイムに再生することを特徴とする請求項１乃至４の何れか一に記載の監視システム。
【請求項９】
前記利用者は、前記トリガー信号と関連付けられた前記異常値と判断されたイベントデータまたは画像データの時間に基づいて、前記動画ファイル記憶部に格納された前記動画ファイルを検索し、
前記携帯端末の前記表示部で再生することを特徴とする請求項８に記載の監視システム。
【発明の詳細な説明】
【技術分野】
【０００１】
本発明は、監視システムに関する。特に、監視カメラとユーザ端末とを連携させた監視システムに関する。
【背景技術】
【０００２】
近年、防犯や防災の観点から監視カメラが広く普及し、街頭や店舗のみならず一般家庭にも設置されるようになってきた。監視カメラは、人目の届かない死角をなくし、２４時間監視することができ、また、記録装置を併用することで映像記録を残して検証することが出来る利点がある。これらの利点から、一般的には犯罪の抑止効果を狙った防犯カメラとして用いられている。
【０００３】
監視カメラを用いた遠隔での監視システムは、従来は警備会社等のシステムに限られていたが、光ファイバーを用いた高速なネットワーク回線の普及から、個人向けサービスとしてのネットワークを介した監視システムが提唱されている。例えば、特許文献１には、複数の監視端末と監視センターがネットワークで接続された監視システムにおいて、監視端末は異常事態の発生を検出して検出した結果に基づく異常情報信号を送信し、監視センターは異常情報信号を取得して、異常発生要因およびどの監視端末から送信されたかを判別し、判別結果に応じて、異常情報を通知すべき監視端末を選択して通知することが開示されている。また、安価なＷｅｂカメラが利用になったことから、外出先から携帯電話のような携帯端末を用いて、Ｗｅｂカメラで自宅の様子をリアルタイムで見ることもできるようになった。
【０００４】
しかし、特許文献１の監視システムは、監視センターを介するシステムであるため、監視センターに監視員が２４時間常駐して、監視に当たる必要がある。また、特許文献１の監視システムを一般の利用者が２４時間映像を見られるようにしたとしても、一般の利用者が２４時間監視を続けることは困難である。一方、Ｗｅｂカメラと携帯端末を接続する個人向けのシステムでは、Ｗｅｂカメラに赤外線センサ等を併設することにより、異常を知らせる信号を携帯端末に送信することも可能であるが、この場合も複数台の監視カメラを用いた広範囲での監視は困難であり、異常を知らせるセンサの種類にも制約がある。
【先行技術文献】
【特許文献】
【０００５】
【特許文献１】特開２００４−１９２４９６号公報
【発明の概要】
【発明が解決しようとする課題】
【０００６】
監視カメラは、上述の防犯以外に、事故や災害を監視して早急に対処して、被害を最小限に留めるような利用も期待できる。しかし、事故や災害のための監視システムは、上述した特許文献１の監視システムのように、監視員が監視センターで２４時間監視に当たる必要がある。このような監視システムは、監視するための場所や人、設備を必要とするため、監視システムに多大なコストを必要とする。また、監視センターを介するため、事故や災害等が発生してから、一般の利用者や事故や災害等の対応を決定する責任者等が認知するまでのタイムラグが生じ、迅速な対応ができない場合がある。例えば、河川や貯め池に子どもが転落した場合、迅速に対応できない事象から尊い人命が失われている事も事実である。
【０００７】
本発明は、上述の問題を解決するものであって、犯罪や事故、災害等の問題となるイベントが発生したときに、監視システムが問題となるイベントを自動的に解析して、利用者が携帯端末を介して、問題となるイベントをリアルタイムで監視可能な監視システムを提供するものである。
【課題を解決するための手段】
【０００８】
本発明の一実施形態によると、監視システムサーバと、監視端末と、利用者の携帯端末とがネットワークを介して接続する監視システムであって、前記監視端末は、監視カメラと、イベントデータ収集部とを備え、前記監視システムサーバは、制御部と、エンコード部と、イベント解析部と、通信部と、動画ファイル記憶部とを備え、前記監視端末は、前記監視カメラで撮影した画像データと、前記イベントデータ収集部が収集するイベントデータとを、前記ネットワークを介して前記監視システムサーバに送信し、前記監視システムサーバの前記制御部は、前記通信部で前記画像データと前記イベントデータとを受信し、受信した前記画像データを前記エンコード部でエンコードし、動画ファイルを生成して、前記動画ファイル記憶部に格納し、受信した前記イベントデータまたは前記画像データを前記イベント解析部で基準値と比較して、前記イベントデータまたは前記画像データを異常値と判断した場合に、前記携帯端末にトリガー信号を送信し、前記携帯端末は、前記トリガー信号に応じて、前記監視システムサーバの前記動画ファイル記憶部に格納された前記動画ファイルを受信することを特徴とする監視システムが提供される。
【０００９】
前記監視システムにおいて、前記イベント解析部は、前記イベントデータまたは前記画像データを異常と判断した場合に、前記トリガー信号と、異常値が検出されたイベントデータまたは画像データの異常値が検出された時間と、を関連付けてもよい。
【００１０】
前記監視システムにおいて、前記監視システムサーバは、前記イベントデータまたは前記画像データと比較する前記基準値を格納する基準値データベースをさらに備え、前記基準値は、前記利用者または監視システム提供者により予め決められた値であってもよい。
【００１１】
前記監視システムにおいて、前記監視システムサーバは、利用者情報データベースをさらに備え、前記利用者または前記携帯端末を特定する情報と、前記携帯端末に前記トリガー信号を送信するための基準値の種類と値の組合せ、を格納し、前記異常値と判断された基準値の種類と値の組合せと、前記利用者情報データベースに格納された利用者毎の基準値の種類と値の組合せと、を比較して一致した場合に、前記携帯端末に前記トリガー信号を送信してもよい。
【００１２】
前記監視システムにおいて、前記イベントデータ収集部は、ストレインゲージ、ロードセル、半導体圧力センサ、光センサ、光電素子、フォトダイオード、磁気センサ、サーミスタ、抵抗測温体、熱電対、放射温度計、マイクロフォン、イオン濃度センサ、ガス濃度センサ、ポテンショメータ、差動トランス、回転角センサ、リニアエンコーダ、タコジェネレータ、ロータリエンコーダ、光位置センサ、超音波距離計、静電容量変位計、光学式測距儀、電磁波測距儀、レーザドップラー振動速度計、レーザドップラー流速計、ジャイロセンサー、加速度センサ、地震センサ、漏液センサ、液検知センサ、硬度計、電場計、電流計、電圧計、電力計、赤外線センサ、放射線線量計、湿度計、においセンサ、流量計、傾斜計、振動センサの何れか、または２つ以上の組み合わせを備え、前記基準値の種類は、前記イベントデータ収集部により収集されたデータまたは前記画像データの何れか、または２つ以上の組み合わせであって、前記基準値は、前記イベントデータ収集部により収集されたデータまたは前記画像データのそれぞれに対して設定された値であってもよい。
【００１３】
前記監視システムにおいて、前記イベント解析部は、前記画像データのうち、連続して受信した第１の画像データの特徴点と、前記第１の画像データの次に受信した第２の画像データの特徴点と比較し、前記第２の画像データの特徴点に変化がある場合は、第２の画像データを異常値と判断して、前記携帯端末にトリガー信号を送信してもよい。
【００１４】
前記監視システムにおいて、前記動画ファイルと前記イベントデータとは、前記監視端末が設置された住所、緯度及び経度、またはＩＰアドレスの何れか、または２つ以上の位置情報の組み合わせと関連付けられ、前記利用者情報データベースは、前記携帯端末に前記トリガー信号を送信するための位置情報をさらに格納し、前記異常値と判断されたイベントデータまたは画像データの位置情報と、前記利用者情報データベースに格納された位置情報と、を比較して一致した場合に、前記携帯端末に前記トリガー信号を送信してもよい。
【００１５】
前記監視システムにおいて、前記携帯端末は、携帯端末制御部と、音声出力部と、入力部と、表示部と、携帯端末通信部と、を備え、前記携帯端末通信部が前記トリガー信号を受信すると、音声出力部は着信音を再生し、前記利用者が、前記監視システムサーバの前記動画ファイル記憶部に格納された前記動画ファイルの要求を前記入力部から入力すると、前記携帯端末制御部は、前記携帯端末通信部から前記監視システムサーバに前記動画ファイルを要求し、受信した前記動画ファイルを前記表示部でリアルタイムに再生してもよい。
【００１６】
前記監視システムにおいて、前記利用者は、前記トリガー信号と関連付けられた前記異常値と判断されたイベントデータまたは画像データの時間に基づいて、前記動画ファイル記憶部に格納された前記動画ファイルを検索し、前記携帯端末の前記表示部で再生してもよい。
【発明の効果】
【００１７】
本発明によると、犯罪や事故、災害等の問題となるイベントが発生したときに、監視システムが問題となるイベントを自動的に解析して、利用者が携帯端末を介して、問題となるイベントをリアルタイムで監視可能な監視システムを提供することできる。
【図面の簡単な説明】
【００１８】
【図１】本発明の一実施形態に係る監視システム１００のブロック図である。
【図２】本発明の一実施形態に係る監視端末１１０のブロック図である。
【図３】本発明の一実施形態に係る携帯端末１７０のブロック図である。
【図４】本発明の一実施形態に係るＣ２ＤＭによるプッシュ通知を利用した動画ファイルの自動再生を説明するブロック図である
【図５】本発明の一実施形態に係る監視システム１００における監視システムサーバ１５０と携帯端末１７０とのデータ流れを示す図である。
【図６】本発明の一実施形態に係る監視システム１００において、監視システムサーバ１５０が画像データを取得してから、携帯端末１７０で動画ファイルが再生されるまでの各ステップを示すフローチャートである。
【図７】本発明の一実施形態に係る監視システム１００において、監視システムサーバ１５０が画像データを取得してから、携帯端末１７０で動画ファイルが再生されるまでの各ステップを示すフローチャートである。
【図８】本発明の一実施形態に係る画像データの特徴点による異常値の検出方法を説明する模式図である。
【図９】本発明の一実施形態に係る画像データの特徴点による異常値の検出方法を用いた監視システムの変形例を示し、（ａ）は建物の出入口を監視する例を示し、農地に害獣が侵入した場合に検知する方法を示す模式図である。
【発明を実施するための形態】
【００１９】
本発明者らは、上述の問題を解決して、犯罪や事故、災害等の問題となるイベントが発生したときに、利用者が迅速に状況を確認できる監視システムについて、鋭意検討を行った。従来の携帯電話に変わって、高速通信が可能なスマートフォンの普及率が飛躍的に高まった現状を鑑みて、問題となるイベントを監視システムサーバで自動的に解析して、犯罪や事故、災害等の問題となるイベントが発生したときに、利用者の携帯端末に動画をリアルタイムで配信する方法を見出し、発明を完成させた。
【００２０】
以下、図面を参照して本発明に係る監視システムについて説明する。但し、本発明の監視システムは多くの異なる態様で実施することが可能であり、以下に示す実施の形態及び実施例の記載内容に限定して解釈されるものではない。なお、本実施の形態及び実施例で参照する図面において、同一部分又は同様な機能を有する部分には同一の符号を付し、その繰り返しの説明は省略する。
【００２１】
図１は、本発明の一実施形態に係る監視システム１００のブロック図である。監視システム１００は、ネットワーク１９０を介して監視端末１１０と、監視システムサーバ１５０と、携帯端末１７０とが接続されて、構成される。ここで、ネットワーク１９０は例えば、インターネットであるが、監視端末１１０と監視システムサーバ１５０とは、インターネットを介した接続以外に、専用回線、有線または無線による直接的な接続であってもよい。
【００２２】
（監視端末）
本実施形態において、監視端末１１０として、１つ以上の監視端末が設置される。図２は、監視端末１１０のブロック図である。監視端末１１０は、監視カメラ１０１単体、または監視カメラ１０１及びイベントデータ収集部１０３を備える。また、監視端末１１０は、監視システムサーバ１５０とのデータの送受信を行うために、監視端末通信部１０５を備える。
【００２３】
本実施形態に係る監視端末１１０の監視カメラ１０１は、既存の監視カメラやＷｅｂカメラを利用可能であって、監視する対象に応じて、モノクロカメラ、フルカラーカメラ、赤外線カメラから選択可能である。監視端末１１０は、監視カメラ１０１で撮影された画像データを、監視端末通信部１０５から監視システムサーバ１５０にリアルタイムで送信する。なお、後述するイベントデータまたは画像データを異常値として判断するまでは、監視する対象に応じて、監視端末１１０は、監視カメラ１０１で所定の時間の間隔毎に監視対象を撮影して、画像データを監視システムサーバ１５０に送信してもよい。所定の時間の間隔とは、例えば、１分毎、５分毎、１０分毎等、監視システム１００の利用者または監視システム提供者（管理者）により任意に設定可能である。
【００２４】
本実施形態において、イベントデータ収集部１０３は、イベントデータを収集して、監視端末通信部１０５から監視システムサーバ１５０にリアルタイムで送信する。なお、後述するイベントデータまたは画像データを異常値として判断するまでは、監視する対象に応じて、監視端末１１０はイベント収集部１０３で所定の時間の間隔毎にイベントデータを収集して、イベントデータを監視システムサーバ１５０に送信してもよい。所定の時間の間隔とは、例えば、１分毎、５分毎、１０分毎等、監視システム１００の利用者または監視システム提供者（管理者）により任意に設定可能である。
【００２５】
本実施形態に係るイベントデータ収集部１０３は、ストレインゲージ、ロードセル、半導体圧力センサ、光センサ、光電素子、フォトダイオード、磁気センサ、サーミスタ、抵抗測温体、熱電対、放射温度計、マイクロフォン、イオン濃度センサ、ガス濃度センサ、ポテンショメータ、差動トランス、回転角センサ、リニアエンコーダ、タコジェネレータ、ロータリエンコーダ、光位置センサ、超音波距離計、静電容量変位計、光学式測距儀、電磁波測距儀、レーザドップラー振動速度計、レーザドップラー流速計、ジャイロセンサー、加速度センサ、地震センサ、漏液センサ、液検知センサ、硬度計、電場計、電流計、電圧計、電力計、赤外線センサ、放射線線量計、湿度計、においセンサ、流量計、傾斜計、振動センサの何れか、または２つ以上の組み合わせを備える。イベントデータ収集部１０３は、これらのセンサ等により検出されるデータをイベントデータとして、監視端末通信部１０５から監視システムサーバ１５０に送信する。なお、本実施形態に係るイベントデータ収集部１０３は、後述するようなイベントデータを異常値と判断可能な基準値が設定可能なデータを取得できれば、利用可能な如何なるセンサ等を利用することもできる。
【００２６】
上述したように、監視端末１１０と監視システムサーバ１５０とは、インターネットを介した接続や、専用回線、有線または無線による直接的な接続を利用することできる。また、監視端末１１０は複数設置する場合に、各監視端末が設置された住所、緯度及び経度、またはＩＰアドレスの何れか、または２つ以上の位置情報の組み合わせにより特定可能である。監視端末１１０の位置情報は、画像データやイベントデータの位置情報として、監視システムサーバ１５０により管理される。
【００２７】
（監視システムサーバ）
本実施形態に係る監視システムサーバ１５０は、制御部１５１、エンコード部１５３と、イベント解析部１５５と、通信部１５９と、動画ファイル記憶部１６１とを備える。また、監視システムサーバ１５０は、基準値データベース１６３、利用者情報データベース１６５をさらに備える。
【００２８】
本実施形態に係る監視システムサーバ１５０において、制御部１５１は中央処理装置（ＣＰＵ）、オペレーティングシステム及び監視システムサーバ１５０を制御する基本アプリケーションやモジュールである。
【００２９】
エンコード部１５３は、監視端末１１０から受信した画像データをエンコードし、動画ファイルを生成して、動画ファイル記憶部１６１に格納するアプリケーションやモジュールである。本実施形態においては、リアルタイムエンコーディングが好ましく、後述する携帯端末１７０に応じたフォーマットにエンコードする。また、エンコード部１５３は、動画ファイルの動きの少ない背景部分のノイズ量を抑え、動きのある部分を高画質にエンコードすることが好ましい。エンコード部１５３が、ノイズや画質のちらつきを抑えた動画ファイルにエンコードすることにより、携帯端末１７０が動画ファイルを再生したときに、犯罪や事故、災害等の問題となるイベントが発生した状況を利用者が明確に認識することができる。携帯端末１７０がスマートフォンの場合には、ＨＴＴＰで取得可能なフォーマットにエンコードする。
【００３０】
また、監視システムサーバ１５０は、イベントデータまたは画像データを異常値として判断するまでは、監視する対象に応じて、監視端末１１０は、監視カメラ１０１で所定の時間の間隔毎に監視対象を撮影したデータを受信するため、エンコード部１５３は、受信した画像データに応じて、適宜エンコードしてもよい。
【００３１】
イベント解析部１５５は、受信したイベントデータまたは画像データを基準値と比較するアプリケーションやモジュールである。イベント解析部１５５は、受信したイベントデータまたは画像データを基準値と比較して、受信したイベントデータまたは画像データが基準値に対して逸脱している場合は、異常値と判断する。監視システムサーバ１５０は、受信したイベントデータまたは画像データが異常値と判断された場合に、携帯端末１７０にトリガー信号を送信する。
【００３２】
また、イベント解析部１５５は、イベントデータまたは画像データを異常と判断した場合に、トリガー信号と、異常値が検出されたイベントデータまたは画像データの異常値が検出された時間と、を関連付ける。このようなトリガー信号と異常値が検出された時間とを関連付けることにより、利用者は、トリガー信号と関連付けられた異常値と判断されたイベントデータまたは画像データの時間、すなわち、トリガー信号の履歴に基づいて、動画ファイル記憶部１６１に格納された動画ファイルを検索し、携帯端末１７０で再生することができる。
【００３３】
（基準値）
本実施形態において、基準値とは、監視端末１１０のイベントデータ収集部１０３が収集するイベントデータに対して予め設定された値であって、イベント解析部１５５が解析するイベントデータが基準値に対して大きいまたは小さい場合に、異常と判断するための値である。本実施形態に係る基準値の種類は、上述したイベントデータ収集部１０３により収集されたデータまたは画像データの何れか、または２つ以上の組み合わせであってもよい。なお、基準値は、イベントデータ収集部１０３で収集が可能でデータであって、イベントデータ収集部１０３から受信したイベントデータを異常値と判断可能な値であれば、如何なる種類の値であってもよい。また、後述するように、受信した画像データにおいて、正常な画像データを基準値として、基準値となる画像データに対する変化を異常と判断するようにすることもできる。本実施形態において、基準値は、監視システム１００の利用者または監視システム提供者（管理者）により任意に設定可能である。
【００３４】
通信部１５９は、監視端末１１０および携帯端末１７０とのデータの送受信をするための装置であり、付随するアプリケーションやモジュールを含む。上述したように、監視端末１１０と監視システムサーバ１５０とは、インターネットを介した接続以外に、専用回線、有線または無線による直接的な接続であってもよい。一方、監視システムサーバ１５０と携帯端末１７０とは、インターネット及び携帯電話の通信網を介して接続される。
【００３５】
動画ファイル記憶部１６１は、エンコード部１５３でエンコードされた動画ファイルを格納する装置であって、例えば、ハードディスクのような主記憶装置で構成される。動画ファイル記憶部１６１において、エンコードされた動画ファイルは、監視カメラ１０１で撮影された時間情報及び位置情報を関連付けられたデータベースを形成する。ここで、動画ファイルと関連付ける位置情報は、上述したように、監視端末１１０が設置された住所、緯度及び経度、またはＩＰアドレスの何れか、または２つ以上の位置情報の組み合わせである。また、動画ファイル記憶部１６１において、エンコードされた動画ファイルは、イベントデータ収集部１０３により収集されたイベントデータと関連付けて格納されてもよい。
【００３６】
動画ファイル記憶部１６１は、格納された動画ファイルを所定の期間保存することが好ましい。動画ファイルを期間保存する期間は、利用者または監視システム提供者（管理者）により、１日、１週間、１ヶ月、１年等、任意に設定可能である。また、動画ファイル記憶部１６１に格納される動画ファイルには、暗号化、改ざん防止機能の追加等を行なってもよい。
【００３７】
基準値データベース１６３は、上述した基準値を格納したデータベースであって、ハードディスクのような主記憶装置に格納される。基準値データベース１６３においては、１種類のイベントデータに対して、複数の基準値が定義されてもよい。すなわち、本実施形態においては、１種類のイベントデータに対して、監視する対象や利用者のニーズによって、複数の基準値を設定することができる。例えば、イベントデータ収集部１０３が水位計で、監視する対象がダムある場合、ダムの堤防の高さや収容可能な水量が異なり、利用者であるダムの管理者が危険と判断する水位は異なる。このため、本実施形態においては、基準値データベース１６３に複数の基準値を有することが好ましい。
【００３８】
利用者情報データベース１６５は、利用者または携帯端末１７０を特定する情報と、携帯端末１７０にトリガー信号を送信するための基準値の種類と値の組合せを格納したデータベースであって、ハードディスクのような主記憶装置に格納される。監視システムサーバ１５０は、異常値と判断された基準値の種類と値の組合せと、利用者情報データベース１６５に格納された利用者毎の基準値の種類と値の組合せと、を比較して一致した場合に、携帯端末１７０にトリガー信号を送信する。本実施形態においては、上述したように、１種類のイベントデータに対して、利用者のニーズによって、複数の基準値を設定することができるため、利用者毎に基準値の種類と値の組合せが異なってもよい。
【００３９】
また、上述したように、監視する対象により基準値を設定することができるため、本実施形態においては、監視端末１１０が設置された住所、緯度及び経度、またはＩＰアドレスの何れか、または２つ以上の位置情報の組み合わせを、利用者または携帯端末１７０を特定する情報と関連付けて格納してもよい。すなわち、監視システムサーバ１５０は、異常値が検出された監視端末１１０に応じて、トリガー信号を送信すべき携帯端末１７０を検索して、特定の携帯端末１７０のみにトリガー信号を送信することができる。
【００４０】
なお、本実施形態においては、動画ファイル記憶部１６１、基準値データベース１６３及び利用者情報データベース１６５は、別個のデータベースとして説明したが、これら２つ以上の組合せてあってもよい。また、動画ファイル記憶部１６１、基準値データベース１６３及び利用者情報データベース１６５は、長期間データを安定して格納可能な大容量の記憶装置であれば、ＳＳＤ（ソリッドステートディスク）等の利用可能な装置に格納されてもよい。
【００４１】
（携帯端末）
監視システム１００において、携帯端末１７０は、ネットワーク１９０を介して監視システムサーバ１５０に接続する、利用者が携帯可能な端末である。図３は、本実施形態に係る携帯端末１７０のブロック図である。携帯端末１７０は、携帯端末制御部１７１、音声出力部１７３、入力部１７５、表示部１７７及び携帯端末通信部１７９を備える。
【００４２】
携帯端末１７０は、例えば、携帯電話、ネットブック、タブレット型端末であってもよく、高速通信が可能な端末が好ましい。本明細書において、「高速通信」とは、例えば、携帯電話であれば第３世代移動通信システムやＬＴＥ（Long Term Evolution）（登録商標）、無線通信であればＷｉＭＡＸ（Worldwide Interoperability for Microwave Access）（登録商標）等の規格の通信システムをいう。本実施形態においては、携帯端末１７０は携帯性に優れ、近年広く普及したスマートフォンが好ましい。また、本実施形態においては、携帯端末を用いた例を説明するが、光通信を利用した固定電話を経由しての有線通信に接続したパーソナルコンピュータ（ＰＣ）を除外するものではない。
【００４３】
携帯端末通信部１７９が監視システムサーバ１５０からトリガー信号を受信すると、音声出力部１７３は着信音を再生する。利用者が、監視システムサーバ１５０の動画ファイル記憶部１６１に格納された動画ファイルの要求を入力部１７５から入力すると、携帯端末制御部１７１は、携帯端末通信部１７９から監視システムサーバ１５０に動画ファイルを要求する。携帯端末１７０は、受信した動画ファイルを表示部１７７でリアルタイムに再生する。ここで、携帯端末１７０は、トリガー信号を受信したときに、自動的に監視システムサーバ１５０に接続し、動画ファイルを受信して動画ファイルを表示部１７７で再生するアプリケーションやモジュールを備えてもよい。
【００４４】
このようなトリガー信号に基づく動画ファイルの自動再生は、例えば、Android（登録商標）をオペレーティングシステムとするスマートフォンを携帯端末１７０に利用したときに、Ｃ２ＤＭ（Cloud to Device Messaging）によるプッシュ通知を行うことで実現することができる。図４は、Ｃ２ＤＭによるプッシュ通知を利用した動画ファイルの自動再生を説明するブロック図である。監視システムサーバ１５０は、監視端末１１０から受信したイベントデータまたは画像データを異常値として判断すると、利用者情報データベース１６５を検索してトリガー信号を送信すべき携帯端末１７０を特定して、ＧＡＥ（Google（登録商標） Application Engine）１８１にトリガー信号を送信する。ＧＡＥ１８１のデータベースには携帯端末１７０の登録ＩＤが格納されており、ＧＡＥ１８１はトリガー信号に基づき、登録ＩＤの携帯端末１７０に対してプッシュ通知を行うようＣ２ＤＭサーバ１８３に要求する。要求を受けたＣ２ＤＭサーバ１８３は、携帯端末１７０にプッシュ通知を行う。プッシュ通知を受信した携帯端末１７０は音声出力部１７３で着信音を再生し、監視システムサーバ１５０に画像データを要求して動画ファイルを受信するとともに、携帯端末１７０に格納された動画プレイヤーを起動して、表示部１７７でリアルタイムに動画を再生する。本実施形態に係る監視システム１００は、高速通信が可能なスマートフォンと、一般に利用可能なＣ２ＤＭによるプッシュ通知を利用することにより、システム構築に必要な資源やコストを低減するとともに、利用者が監視システムを利用することも抑制することができる。
【００４５】
以上説明したように、本実施形態に係る監視システムは、犯罪や事故、災害等の問題となるイベントが発生したときに、監視システムが問題となるイベントを自動的に解析して、利用者が携帯端末を介して、問題となるイベントをリアルタイムで監視可能な監視システムを提供することできる優れた効果を奏する。また、広く普及したスマートフォンのような高速通信が可能な携帯端末を利用することから、利用者は犯罪や事故、災害等の問題に常時対処可能であり、犯罪や事故、災害等の問題による被害を低減する減災に大きく貢献するものである。
【００４６】
（監視システムによる監視方法）
上述した監視システムを利用した犯罪や事故、災害等の問題の監視方法について、さらに説明する。図５は、本実施形態に係る監視システム１００における監視システムサーバ１５０と携帯端末１７０とのデータ流れを示す図である。また、図６及び図７は、監視システム１００において、監視システムサーバ１５０が画像データを取得してから、携帯端末１７０で動画ファイルが再生されるまでの各ステップを示すフローチャートである。
【００４７】
（動画ファイルの生成）
監視システムサーバ１５０は、監視端末１１０の監視カメラ１０１で撮影された画像を通信部１５９で受信する（Ｓ１０１）。受信した画像は、エンコード部１５３でリアルタイムエンコードされる（Ｓ１０３）。ここで、リアルタムエンコーディングは、受信した画像データをＨＴＴＰで取得可能で、取得携帯端末１７０で再生して表示部１７７に表示可能な動画ファイルに変換する工程である。リアルタムエンコーディングには、公知のエンコード技術を適用可能であるが、本実施形態においては、動画ファイルの動きの少ない背景部分のノイズ量を抑え、動きのある部分を高画質にエンコードすることが好ましい。また、エンコードされた動画ファイルをスマートフォンのような携帯端末１７０で再生する場合は、表示させる画素数が少ないため、小さなサイズのデータファイルに変換することが好ましい。
【００４８】
エンコードした動画ファイルには、タグ情報を付加する（Ｓ１０５）。すなわち、動画ファイルは、撮影時刻、監視端末１１０が設置された住所、緯度及び経度、またはＩＰアドレスの何れか、または２つ以上の位置情報の組み合わせや、イベントデータ収集部１０３により収集されたイベントデータ等と関連付ける。このようなタグ情報は、これらの情報を動画フィルと関連する情報として利用者に提供するとともに、これらの情報を基に動画ファイルを検索する手段として用いることができる。タグ情報を付加された動画ファイルは、動画ファイル記憶部１６１に格納される（Ｓ１０７）。
【００４９】
（トリガー信号の送信）
監視システムサーバ１５０は、監視端末１１０のイベントデータ収集部１０３で収集されたイベントデータを通信部１５９で受信する（Ｓ２０１）。受信したイベントデータは、イベント解析部１５５で、基準値データベース１６３に格納された基準値と比較される（Ｓ２０３）。または、イベント解析部１５５は、受信した画像データと基準値となる画像データとを比較する。イベント解析部１５５は、受信したイベントデータまたは画像データが基準値に対して逸脱した異常値であるか否かを判定する（Ｓ２０３）。イベント解析部１５５は、イベントデータまたは画像データを異常と判断した場合は、異常と判断した時間を記録する（Ｓ２０５）。また、監視システムサーバ１５０は、イベントデータまたは画像データが異常値と判断された場合には、通信部１５９から携帯端末１７０にトリガー信号を送信する（Ｓ２０７）。
【００５０】
このとき、監視システムサーバ１５０は、利用者情報データベース１６５を参照して、異常値と判断された基準値の種類と値の組合せと、利用者情報データベース１６５に格納された利用者毎の基準値の種類と値の組合せと、を比較して一致した場合に、携帯端末１７０にトリガー信号を送信する。また、監視システムサーバ１５０は、利用者情報データベース１６５を参照して、トリガー信号を送信すべき携帯端末１７０を検索して、特定の携帯端末１７０のみにトリガー信号を送信する。
【００５１】
（トリガー信号の受信）
携帯端末１７０は、ネットワーク１９０を介して、監視システムサーバ１５０からトリガー信号を携帯端末通信部１７９で受信する（Ｓ３０１）。トリガー信号を受信すると、音声出力部１７３は着信音を再生する（Ｓ３０３）。着信音を再生することにより、利用者は、監視対象で異常が発生していることを認識することができる。
【００５２】
（動画ファイルの再生）
利用者は、着信音の再生により監視対象で異常が発生していることを認識すると、携帯端末１７０を介して監視対象で発生した異常をリアルタイムで確認するために、監視システムサーバ１５０に動画ファイルを要求する（Ｓ４０１）。利用者は、入力部１７５を操作することにより、監視システムサーバ１５０に動画ファイルを要求することができる。監視システムサーバ１５０は、携帯端末１７０から動画ファイルの要求を受信すると、動画ファイル記憶部１６１に格納された異常値が検出された監視カメラ１０１の動画ファイルを携帯端末１７０に送信する。携帯端末１７０は、監視システムサーバ１５０から動画ファイルを受信し（Ｓ４０３）、携帯端末１７０に格納された動画プレイヤーを起動して、表示部１７７でリアルタイムに再生する（Ｓ４０５）。利用者は、再生された動画を介して、犯罪や事故、災害等の発生状況をリアルタイムで確認することができる。これにより、利用者は、犯罪や事故、災害等の問題に迅速に対応することができ、被害を低減することも可能である。
【００５３】
なお、本実施形態に係る監視システムによる監視方法においては、上述したように、Ｃ２ＤＭ（Cloud to Device Messaging）によるプッシュ通知を利用することにより、トリガー信号に基づく動画ファイルの自動再生を行うこともできる。このような自動再生は、利用者が携帯端末１７０を操作することなく、動画ファイルを取得して再生するため、例えば、利用者が高齢者や子供、聴覚障害者であっても迅速に犯罪や事故、災害等の発生状況をリアルタイムで確認することができる。
【００５４】
本実施形態に係る監視システムによる監視方法においては、利用者情報データベース１６５に、携帯端末１７０にトリガー信号を送信するための位置情報をさらに格納してもよい。監視システム１００は、異常値と判断されたイベントデータまたは画像データの位置情報と、利用者情報データベース１６５に格納された位置情報と、を比較して一致した場合に、携帯端末１７０にトリガー信号を送信することができる。すなわち、犯罪や事故、災害等の問題が発生した位置と、携帯端末１７０の位置が一致する場合にトリガー信号を送信することにより、利用者に避難や対処を喚起するとともに、犯罪や事故、災害等の問題が発生した位置とは離れた場所にいる利用者にはトリガー信号を送信しないようにすることもできる。
【００５５】
上述した本実施形態に係る監視システムによる監視方法においては、携帯端末１７０がトリガー信号を受信することにより、利用者は携帯端末１７０で動画を確認するものであるが、本実施形態に係る監視システムによる監視方法はこれに限定されるものではなく、監視端末１１０の監視カメラ１０１で撮影され、動画ファイル記憶部１６１に格納された動画ファイルを利用者が任意のタイミングで見ることもできる。利用者は異常が発生していなくても、好きなときに携帯端末１７０で動画ファイルを再生し、監視対象を確認することもできる。この場合、監視システムサーバ１５０は、携帯端末１７０からの動画ファイルの送信要求に対して、利用者情報データベース１６５を検索し、利用者または携帯端末１７０を特定する情報と、監視端末１１０の位置情報とを照合して、一致した場合のみ動画ファイル記憶部１６１に格納された動画ファイルを携帯端末１７０に送信するようにしてもよい。このようにすることにより、動画ファイルを要求した利用者に監視対象としていない監視端末１１０からの動画ファイルは提供させず、利用者間のプライバシー等を保護することもできる。
【００５６】
（画像データの特徴点による異常値の検出）
本実施形態に係る監視システム及び監視方法においては、上述したように、受信した画像データと基準値となる画像データとを比較することにより、異常を検知してもよい。以下に、画像データを用いた異常値の検出方法について説明する。
【００５７】
図８は、本実施形態に係る画像データの特徴点による異常値の検出方法を説明する模式図である。図８は、海に設置された防波堤に特徴点１０を付している。特徴点１０は、平常時は、水面よりも高い位置に設置され、監視端末１１０の監視カメラ１０１で撮影された画像には、常時確認される目印である。本実施形態においては、監視システムサーバ１５０は、特徴点１０が観察される画像データを基準値（第１の画像データ）として、基準値データベース１６３に格納する。
【００５８】
監視システムサーバ１５０において、イベント解析部１５５は、連続して受信した第１の画像データの特徴点１０と、第１の画像データの次に受信した第２の画像データの特徴点１０と比較し、第２の画像データの特徴点１０が確認される間は、監視対象の防波堤のある海域は正常と判断する。一方、高波や津波等の異常な海水面の上昇が起こると、特徴点１０に波が達して、画像データに特徴点１０が観察されなくなる。この場合、イベント解析部１５５は、第２の画像データを異常値と判断する。
【００５９】
第２の画像データを異常値と判断した監視システムサーバ１５０は、携帯端末１７０にトリガー信号を送信する。この結果、利用者は、監視対象の防波堤のある海域において高波や津波等の異常な海水面の上昇が発生したことを、動画を見ることにより、リアルタイムで確認することができる。これにより、迅速な避難が可能となり、人命の保護にとって非常に有益な情報を利用者は得ることができる。また、画像データの特徴点による異常値の検出方法と、水位計をイベントデータ収集部１０３に用いたイベントデータの解析とを組合せることにより、より高精度な監視を行うことができる。
【００６０】
本明細書において、特徴点とは、第１の画像データと第２の画像データとを比較して、基準値を設定でき、且つ異常を検出可能な目印を示す。したがって、上述したような防波堤に付けられた目印でもよく、塗料で付けられた目印、構造物（点、線、平面図形、立体図形等）でもよい。また、特徴点と、第１の画像データ（正常時）には存在せず、第２の画像データ（異常時）にのみ検出されるものでもよい。例えば、火災時に炎の映った第２の画像データを受信した場合に、監視システムサーバ１５０は、基準値データベース１６３に格納された炎の画像パターンデータと比較して、第２の画像データに炎を検出して火災が発生しと判断することもできる。
【００６１】
同様に、監視システムサーバ１５０は、河川や貯め池、海等に人が転落したときに、異常と判断して利用者にトリガー信号を送信することもできる。すなわち、河川や貯め池、海等の近辺、例えば、岸辺や堤防に人が映った第１の画像データ（正常時）の次に、河川や貯め池、海等の方向に人が消えた第２の画像データを受信した場合、イベント解析部１５５は第２の画像データを異常値と判断する。監視システムサーバ１５０が利用者、例えば、河川や貯め池等の管理者や警察署、消防署等にトリガー信号を送信することにより、河川や貯め池、海等に転落した人を迅速に救助することもできる。また、岸辺や堤防等が、人が普段立ち入れない区域である場合は、イベント解析部１５５は、人が岸辺や堤防等に侵入した第２の画像データを異常値と判断し、監視システムサーバ１５０が利用者にトリガー信号を送信するようにしてもよい。
【００６２】
画像データの特徴点による異常値の検出方法は、災害対策以外にも利用することができる。図９に画像データの特徴点による異常値の検出方法を用いた監視システムの変形例を示す。図９（ａ）は建物の出入口を監視する例を示す。監視システムサーバ１５０の基準値データベース１６３には、監視端末１１０の監視カメラ１０１で撮影された扉が閉じた状態を基準値（第１の画像データ）として格納される。イベント解析部１５５は、扉が開いて人が映った画像を第２の画像データとして受信すると、第２の画像データを異常値と判断する。
【００６３】
このような扉の開閉はセンサによっても行うことができるが、センサで認識できるのは、扉の開閉と、人の出入りのみである。一方、画像データの特徴点による異常値の検出方法を用いると、扉の出入りを出来る人が制服を着用している場合、制服のパターンを認識して、制服を着用している人が映った画像データを正常と判断し、制服を着用していない人が映った画像データを異常と判断することもできる。これにより、侵入者を識別して対処することが可能である。また、異常が検出された監視端末１１０の位置情報から、侵入者が侵入した扉に警備員を急行させることも可能である。
【００６４】
また、病院や介護施設等で、患者や入所者が着用したパジャマ等の柄を基準値データベース１６３に格納しておくことにより、患者や入所者が突発的に建物の外へ出た場合に、病院や介護施設等の職員が、患者や入所者が出た扉に急行し、患者や入所者を保護することも可能である。
【００６５】
図９（ｂ）は、農地に害獣が侵入した場合に検知する方法を示す模式図である。監視システムサーバ１５０は、正常時の農地の画像を基準値（第１の画像データ）として基準値データベース１６３に格納する。監視システムサーバ１５０は、第２の画像データとして害獣が映った画像を受信すると、イベント解析部１５５は第２の画像データを異常値と判断する。これにより、利用者は害獣が侵入した農地に急行し、害獣を排除することができる。また、監視カメラ１０１として赤外線カメラを用いると、害獣が侵入しやすい夜間での監視が可能となる。また、害獣の目は輝度の高い点として画像中で認識することが可能であるため、この輝度の高い目を基準として、異常値を判定することも可能である。
【００６６】
以上説明したように、本発明に係る監視システムは、画像データの特徴点による異常値の検出を行うことで、犯罪や事故、災害等の問題となるイベントが発生したときに、監視システムが問題となるイベントを自動的に解析して、利用者が携帯端末を介して、問題となるイベントをリアルタイムで監視可能な監視システムを提供することできる。
【符号の説明】
【００６７】
１０：特徴点、１００：監視システム、１０１：監視カメラ、１０３：イベントデータ収集部、１０５：監視端末通信部、１１０：監視端末、１５０：監視システムサーバ、１５１：制御部、１５３：エンコード部、１５５：イベント解析部、１５９：通信部、１６１：動画ファイル記憶部、１５０：監視システムサーバ、１６３：基準値データベース、１６５：利用者情報データベース、１７０：携帯端末、１７１：携帯端末制御部、１７３：音声出力部、１７５：入力部、１７７：表示部、１７９：携帯端末通信部、１９０：ネットワーク
【図１】
2013101559.tif 000003
【図２】
2013101559.tif 000004
【図３】
2013101559.tif 000005
【図４】
2013101559.tif 000006
【図５】
2013101559.tif 000007
【図６】
2013101559.tif 000008
【図７】
2013101559.tif 000009
【図８】
2013101559.tif 000010
【図９】
2013101559.tif 000011